(57)【要約】【課題】  ネットワーク電話の追加のために増加した空間、コストを有効的に節約するネットワーク電話のファンクションを兼備するマウスを提供する。【解決手段】  殻体と、殻体の中に設けられ、カーソルの移動方向及び距離をコンピューター主機へ伝送する伝送インターフェース制御ユニット２０と、コンピューター主機が伝送インターフェース２０からくる音声信号を受信しマウスの出て来る音声信号を伝送インターフェース２０でコンピューター主機へ伝送する前記音声制御ユニット２２とを備え、伝送インターフェース制御ユニット２０がコンピューター主機からくるネットワークの来電メッセージを検知するときに、伝送インターフェース制御ユニット２０が自動的にカーソル検知及び制御ユニット２１とのリンクを切断し同時に音声制御ユニット２２とのリンクを通すことによって、マウスをスムーズにネットワーク電話へ切り換える。【選択図】    図２
2006164213.tif 000002
【特許請求の範囲】
【請求項１】
殻体と、伝送インターフェース制御ユニットと、音声制御ユニットとを備え、
前記伝送インターフェース制御ユニットは、殻体の中に設けられ、カーソルの移動方向及び距離を検知し、計算し、カーソルの座標信号を転換し、伝送インターフェース制御ユニットを経由して、コンピューター主機へ伝送し、
前記音声制御ユニットは、コンピューター主機が伝送インターフェースからくる音声信号を受信し、マウスの出て来る音声信号を伝送インターフェースでコンピューター主機へ伝送し、
コンピューター主機が予めインストールしたネットワーク電話のプログラムを実行したあと、伝送インターフェース制御ユニットがコンピューター主機からくるネットワークの来電メッセージを検知するとき、伝送インターフェース制御ユニットは自動的に、カーソル検知及び制御ユニットとのリンクを切断し、同時に、音声制御ユニットとのリンクを通すことによって、マウスをスムーズに、ネットワーク電話へ切り換えることを特徴とするネットワーク電話のファンクションを兼備するマウス。
【請求項２】
伝送インターフェース制御ユニットがコンピューター主機からくるネットワークの来電メッセージを検知するときに、伝送インターフェース制御ユニットは自動的に、カーソル検知及び制御ユニットとのリンクを切断し、同時に、カーソル検知及び制御ユニットの電力供給を切断することを特徴とする請求項１記載のネットワーク電話のファンクションを兼備するマウス。
【請求項３】
伝送インターフェース制御ユニットがネットワークの電話中断及びハングアップを検知する場合に、自動的に、音声制御ユニットとのリンクを切断すると同時に、カーソル検知及び制御ユニットとリンクして、カーソル検知及び制御ユニットの電力供給を回復することを特徴とする請求項１記載のネットワーク電話のファンクションを兼備するマウス。
【請求項４】
前記殻体の一端に、音声の発信装置を設け、もう一端に、音声受信装置を設け、音声の発信装置及び音声受信装置はそれぞれ音声制御ユニットに接続され、
音声の発信装置は音声制御ユニットが伝送インターフェースから受信する音声信号を放送し、
音声受信装置はユーザから出て来る音声を音声信号へ転換し、音声制御ユニットを経由して伝送することを特徴とする請求項１記載のネットワーク電話のファンクションを兼備するマウス。
【請求項５】
前記殻体は、制御キーを設け、
前記制御キーはコンピューター主機からくるネットワークの来電メッセージを検知するとき、ネットワーク電話をつなぐ又は切断するというボタンキーとすることを特徴とする請求項１記載のネットワーク電話のファンクションを兼備するマウス。
【請求項６】
前記殻体には、制御キーを設け、
前記制御キーはユーザがネットワーク電話をダイヤルしたいことを検知するときに、駆動プログラムを起動し、ネットワーク電話をダイヤルするというボタンキーとすることを特徴とする請求項１記載のネットワーク電話のファンクションを兼備するマウス。
【請求項７】
前記殻体には、作動輪を設け、
前記作動輪はコンピューター主機からくるネットワークの来電メッセージを検知し、音声制御ユニットとのリンク状態を接続するとき、音声制御ユニットから出て来る音声ボリュームを制御することを特徴とする請求項１記載のネットワーク電話のファンクションを兼備するマウス。
【請求項８】
前記殻体には、作動輪を設け、
前記作動輪はユーザがネットワーク電話をダイヤルしたいことを検知するとき、快速でコンピューター主機に予めセイブされた電話帳の通信データをサーチし、それを選択することを特徴とする請求項１記載のネットワーク電話のファンクションを兼備するマウス。
【発明の詳細な説明】
【技術分野】
【０００１】
本発明はマウスに関するものであり、特にネットワーク電話のファンクションを兼備するマウスを指す。そして、ユーザがマウスの自身に設置するファンクションキーで、正常のマウス機能と、ネットワーク電話の受信機能やダイヤル機能とを切り換えるので、マウスはデータのキーイン及びネットワーク電話のファンクションを兼備するという目的を遂げる。
【背景技術】
【０００２】
過去、十数年以来、情報産業の快速発展につれて、様々なスタイルの電子製品は絶えず古いものの中から、新機軸を出している。特に、パーソナルコンピューターは人間に最も影響を及ぼす。パーソナルコンピューターは大幅に、情報の処理及び伝送のスピードをアップする以外、人間の作業効率も有効的に向上させる。ゆえに、パーソナルコンピューターは人間の日常生活及び仕事に不可欠で大切なツールとなる。その他、パーソナルコンピューターの周辺設備として、マウスやネットワークインターフェースもパーソナルコンピューターの基本配備になる。マウスにより、ユーザは利便にコンピューターを操作、制御し、データをキーインする。また、ネットワークインターフェースにより、ユーザはパーソナルコンピューターを経由して、世界各地のコンピューターとリンクして、データを伝送、受信する。
【０００３】
従来から、電話システムはＰＳＴＮ（Public Switched Telephone Network）を経由して、音声のデータを伝送、受信する。その主な方式は各国の電信局又は電信会社により、電話のダイヤル端と受話端の線路の間で、様々な回路を切り換える。一通の電話がつながるときに、ダイヤル端と受話端との線路が専用ラインになって、ダイヤル端は線路のリンク距離に基づいて、チャージする。国を跨ぐ通信ならば、費用がびっくりほどかかる。また、各国の電信局又は電信会社が音声及びビデオを処理しているうちに、おのおののネットワークを配備しなければならないように、リモートサイドの情報伝送を行う。各種のネットワークならば、異なる伝送を求めるため、取り扱い、保守、及び設定リニューのコストが非常に高い。各ネットワークを相互に統合することもとても難しい。
【０００４】
近年以来、インターネットがはやっているので、広い周波ネットワークのハードウエアは次第に全国各地で架設される。そんな趨勢につれて、人間は様々なインターネットプロトコル（Internal Protocol）で、音声、文字、ビデオ又はほかの相関な情報を取り扱う。ネットワークの音声伝送技術はネットワーク電話（Internal Protocol phone）を経由して、インターネットワークの音声協定（Voice over Internet Protocol）とネットワーク装置(例えば、VoIP Gateway)とを合わせて達成される。ダイヤル端のネットワーク電話及びネットワーク装置から伝送されるある音声信号はインターネットワークの音声協定により、デジタルのように圧縮、封じられたあとで、ネットワークパッケト（packet）の形態となり、インターネットワークで受信端のネットワーク電話及びネットワーク装置まで伝送される。さらに、インターネットワークの音声協定の逆方向の操作を経由して、受信端はネットワーク電話により、ダイヤル端から出て来る音声を聴いて、スムーズに対話できる。そうすると、ＰＳＴＮを経由しなくても、遠い距離の電話対話が可能だから、沢山の長途通話費用を省く。
【発明の開示】
【発明が解決しようとする課題】
【０００５】
しかし、ユーザによるネットワーク電話の追加により机の空間又は収納の空間（外出携帯の場合）が占められるという問題を解決するために、数多のネットワーク電話の設計及び製造業者はネットワーク電話と伝統のコンピューター周辺設備を結んで、一体化させて設計しなければならない。そこで、ネットワークの追加のために増加した空間、コストを有効的に節約して、伝統のコンピューターの周辺設備がネットワーク電話のファンクションを兼備するという目的を実現する。
【課題を解決するための手段】
【０００６】
したがって、発明人は長い間、努力したり、研究したり、試験したあとで、ようやく、本発明のネットワーク電話のファンクションを兼備するマウスを開発した。それで、ユーザがマウスの自身に設置されるファンクションキーで、正常のマウス機能とネットワーク電話の受信あるいはダイヤル機能とを切り換えるので、マウスはデータのキーイン及びネットワーク電話のファンクションを兼備するという目的を遂げる。
【０００７】
本発明の主な目的はネットワーク電話のファンクションを兼備するマウスを提供することにある。主に、殻体を含む。殻体の中に、伝送インターフェース制御ユニット（例えば、ＵＳＢインターフェース制御ユニット）、カーソル検知及び制御ユニット、音声の制御ユニットなどの要素が設けられる。伝送インターフェース制御ユニットを経由して、マウスは有線又は無線方式で、コンピューターの主機とリンクする。カーソル検知及び制御ユニットにより、マウスの位置を検知し、カーソルの座標信号へ転換し、伝送インターフェース制御ユニットで、コンピューターの主機へ伝送する。音声の制御ユニットはコンピューターの主機が伝送インターフェース制御ユニットを経由して伝送してくる音声信号を受信し、又は出て来る音声信号を伝送インターフェース制御ユニットにより、コンピューターの主機へ伝送する。そうすると、ユーザがコンピューター主機で、ネットワーク電話の駆動プログラムを行ったあとで、マウスの自身に設置するファンクションキーで、正常のマウス機能とネットワーク電話の受信あるいはダイヤル機能との切り換えを行えるので、マウスはデータのキーイン及びネットワーク電話のファンクションを兼備するという目的を果たす。
【０００８】
本発明の他の目的はネットワーク電話のファンクションを兼備するマウスを提供することにある。その殻体の一端に、音声の発信装置(例えば、スピーカー)を設けて、もう一端に、音声受信装置（例えば、マイクロホン）を設ける。音声の発信装置及び音声受信装置はそれぞれ音声の制御ユニットに接続される。音声の発信装置は音声の制御ユニットが伝送インターフェースから受信する音声信号を放送する。音声受信装置はユーザから出て来る音声を音声信号へ転換し、音声制御ユニットを経由して伝送する。よって、ユーザはリモートサイドの別のユーザと、ネットワークで通話できる。
【０００９】
本発明のさらに他の目的はネットワーク電話のファンクションを兼備するマウスを提供することにある。その伝送インターフェース制御ユニットがコンピューター主機からくるネットワークの来電メッセージを検知するときに、伝送インターフェース制御ユニットは自動的に、カーソル検知及び制御ユニットとのリンク、及び(又は)カーソル検知及び制御ユニットの電力供給を切断する。同時に、音声制御ユニットとのリンクを通す。そうすると、カーソル検知及び制御ユニットの未使用状態の無駄な電力浪費を節約するばかりでなく、マウスをスムーズに、ネットワーク電話へ切り換えれる。伝送インターフェース制御ユニットがネットワークの電話中断、ハングアップを検知する場合に、自動的に、音声制御ユニットとのリンクを切断すると同時に、カーソル検知及び制御ユニットとリンクして、カーソル検知及び制御ユニットの電力供給を回復するので、マウスは正常の操作状態に戻る。
【００１０】
本発明のさらに他の目的はネットワーク電話のファンクションを兼備するマウスを提供することにある。その殻体には、制御キーを設ける。その制御キーはコンピューター主機からくるネットワークの来電メッセージを検知するときに、ネットワーク電話をつなぐ又は切断するというボタンキーとする。
本発明のもう一つの目的はネットワーク電話のファンクションを兼備するマウスを提供することにある。その殻体には、作動輪を設ける。その作動輪はコンピューター主機からくるネットワークの来電メッセージを検知するときに、音声制御ユニットから出て来る音声ボリュームを制御し、又はネットワーク電話をダイヤルしたいときに、快速に、コンピューター主機に予めセイブされた電話帳の通信データをサーチし（Scrolling）、それを選択する。
【発明を実施するための最良の形態】
【００１１】
審査委員各位に本発明の目的、形状、特徴及び方法を更に認識及び了解していただくため、ここに実施例を取り上げ、図面と合わせて詳しく説明します。
まずは図１、図２を御覧下さい。本発明の一実施例によるネットワーク電話のファンクションを兼備するマウス１０は、殻体１１を備える。殻体１１の中に、伝送インターフェース制御ユニット２０、カーソル検知及び制御ユニット２１、音声の制御ユニット２２などの要素が設けられる。伝送インターフェース制御ユニット２０はＵＳＢ（Universal Serial Bus）の規格の伝送インターフェースが採用できるが、本実施例はそれに限られない。つまり、伝送インターフェース制御ユニット２０はほかの規格の伝送インターフェースを採用してもよい。ただ、マウス１０を有線又は無線方式で、コンピューターの主機とリンクし、相互にデータを受信、発信すれば、伝送インターフェース制御ユニット２０と見なす。
【００１２】
もう一度、図１、図２を御参照してください。カーソル検知及び制御ユニット２１はマウス１０の位置を検知する相関的な機構、回路を含む。光学式のマウスの例を挙げれば、カーソル検知及び制御ユニット２１は発光ダイオード、影像取りユニット、相関的な制御回路を含む。それで、発光ダイオードはマウス１０が移動される場合に、光を出して、マウス１０を放置する平面を照らす。そのときに、影像取りユニットは連続に、放置平面から反射して戻る影像を取る。また、制御回路及び内蔵の運算プログラムを経由して、影像の連続変化に基づいて、快速にマウス１０の移動方向及び距離を計算する。さらに、それをカーソルの座標信号へ転換し、伝送インターフェース制御ユニット２０により、コンピューター主機へ伝送する。しかしながら、本実施例はそれだけに限られず、カーソル検知及び制御ユニット２１はほかのタイプのマウス（例えば、ローラータイプのマウス）の検知制御ユニットにも適用できる。ただ、マウス１０の移動方向及び距離を計算し、カーソルの座標信号を転換し、伝送インターフェース制御ユニット２０により、コンピューター主機へ伝送すれば、本実施例のカーソル検知及び制御ユニット２１として適用できる。
【００１３】
音声制御ユニット２２はコンピューター主機が伝送インターフェース２０からくる音声信号を受信し、又はマウス１０の出て来る音声信号を伝送インターフェース２０でコンピューター主機へ伝送する。そうすると、ユーザがコンピューター主機で、ネットワーク電話の駆動プログラムを行ったあとで、マウス１０自身に設置する制御キー１２で、正常のマウス機能又はネットワーク電話の受信あるいはダイヤル機能を切り換えるので、マウス１０はデータのキーイン及びネットワーク電話のファンクションを兼備するという目的を遂げる。
【００１４】
ちなみに、大切なキーポイントは本実施例のマウス１０ならば、伝送インターフェース制御ユニット２０がマウス１０を有線又は無線方式で、コンピューター主機とリンクするので、その電源の供給方式はリンクの方式に応じて異なる。図２に示すように、伝送インターフェース制御ユニット２０がマウス１０を無線方式で、コンピューター主機とリンクする場合に、殻体１１に、電源３０を追加し、マウス１０の各ユニットの正常作動に必要な電源を提供する。それに対して、伝送インターフェース制御ユニット２０が有線方式で、コンピューター主機とリンクする場合には、伝送ワイヤ３１で、コンピューター主機の提供する電源を得る。
【００１５】
また、図２、図３を御覧下さい。本実施例の殻体１１の一端に、音声の発信装置２２１(例えば、スピーカー)を設けて、もう一端に、音声受信装置２２２(例えば、マイクロホン)を設ける。音声の発信装置２２１及び音声受信装置２２２はそれぞれ音声の制御ユニット２２に接続される。音声の発信装置２２１は音声の制御ユニット２２が伝送インターフェース２０から受信する音声信号を放送する。音声受信装置２２２はユーザから出る音声を音声信号へ転換し、音声制御ユニット２２を経由して伝送する。よって、ユーザはリモートサイドの別のユーザと、ネットワークで通話できる。
【００１６】
本実施例を実際応用する場合に、ネットワーク電話の駆動プログラムを合わせなければならない。ネットワーク電話の駆動プログラムを予めコンピューターの主機にインストールする。ユーザがコンピューター主機を起動して、ネットワーク電話の駆動プログラムを行ったあとで、図２、図４に示すように、マウス１０の伝送インターフェース制御ユニット２０は次の処理プロセスにより、自動的に、マウス１０を正常のマウス機能とネットワーク電話の受信あるいはダイヤル機能の状態へ切り換える。
【００１７】
ステップ１０１では、コンピューター主機がネットワーク電話の来電メッセージを伝送するかどうか判断する。伝送する場合は、ステップ１０２を続けて行う。伝送しない場合は、絶えずコンピューター主機がネットワーク電話の来電メッセージを伝送するかどうか判断する。
ステップ１０２では、自動的に、カーソル検知及び制御ユニット２０とのリンク、及び(又は)カーソル検知及び制御ユニット２１の電力供給を切断する。同時に、伝送インターフェース制御ユニット２０と音声制御ユニット２２とのリンクを通す。そうすると、カーソル検知及び制御ユニット２１の未使用状態の無駄な電力浪費を節約するばかりでなく、マウス１０をスムーズに、ネットワーク電話へ切り換えることができる。
【００１８】
ステップ１０３では、コンピューター主機からくるネットワーク電話のメッセージが中断されたかどうか、ネットワーク電話がユーザにハンガーアップされたかどうか判断する。中断あるいはハンガーアップされた場合は、次のステップを続けて行う。中断あるいはハンガーアップされない場合は、マウス１０をネットワーク電話の操作状態に切り換えた状態を保持し、通話を続ける。
【００１９】
ステップ１０４では、自動的に、伝送インターフェース制御ユニット２０と音声制御ユニット２２とのリンクを切断すると同時に、伝送インターフェース制御ユニット２０とカーソル検知及び制御ユニット２１とをリンクして、カーソル検知及び制御ユニット２１の電力供給を回復するので、マウス１０は正常の操作状態に戻る。また、ステップ１０１へ戻って、検知を続けて、コンピューター主機がネットワーク電話の来電メッセージを伝送するかどうか判断する。
【００２０】
もう一度、図1、図２を御参照して下さい。本実施例のネットワーク電話のファンクションを兼備するマウスの殻体１１には、制御キー１２を設ける。制御キー１２は伝送インターフェース制御ユニット２０がコンピューター主機からくるネットワークの来電メッセージを検知するときに、ネットワーク電話をつなぐ又はハンガーアップするというボタンキーとする。又はユーザがネットワーク電話をダイヤルしたい場合に、ネットワーク電話の駆動プログラムを起動し、ネットワーク電話をダイヤルするというボタンキーとする。
【００２１】
また、殻体１１には、作動輪１４を設ける。作動輪１４は伝送インターフェース制御ユニット２０がコンピューター主機からくるネットワークの来電メッセージを検知し、伝送インターフェース制御ユニット２０と音声制御ユニット２２とのリンク状態を通すときに、音声制御ユニット２２から出て来る音声ボリュームを制御し、あるいはネットワーク電話をダイヤルするときに、快速に、コンピューター主機に予めセイブした電話帳の通信データ（姓名、電話番号など）をサーチし（Scrolling）、それを選択する。
【００２２】
以上の内容をまとめると、本実施例のネットワーク電話のファンクションを兼備するマウスにおいて、マウス１０とネットワーク電話を一体化するように結んだあとで、ユーザがネットワーク電話を追加しても、机の空間を多く占めないし、外出携帯しても、収納空間を多く占めない。また、有効的に、ネットワーク電話を追加するコストの増加を省く。ユーザはコンピューター主機の前で、マウス１０を利便に使って、コンピューターを操作し、制御し、キーインし、ウェブの内容を読んでいるときも、随時、マウス１０をネットワーク電話へ転換させ、直ちにリモートサイドのネットワーク電話を聴いたり、あるいはリモートサイドのほかのユーザにダイヤルできる。その結果、ネットワークの使用利便性、実行性を大幅に向上させる。
【図面の簡単な説明】
【００２３】
【図１】本発明の一実施例によるネットワーク電話のファンクションを兼備するマウスの上部の外観説明図である。
【図２】本発明の一実施例によるネットワーク電話のファンクションを兼備するマウスの内部回路のブロックダイヤグラムである。
【図３】本発明の一実施例によるネットワーク電話のファンクションを兼備するマウスの底部の外観透視図である。
【図４】本発明の一実施例によるネットワーク電話のファンクションを兼備するマウスがネットワーク電話へ切り換えるときの制御フローチャートである。
【符号の説明】
【００２４】
１０  マウス、１１  殻体、１２  制御キー、１４  作動輪、２０  伝送インターフェース制御ユニット、２１  カーソル検知及び制御ユニット、２２  音声制御ユニット、２２１  音声発信装置、２２２  音声受信装置、３０  電源、３１  伝送ワイヤ
【図１】
2006164213.tif 000003
【図２】
2006164213.tif 000004
【図３】
2006164213.tif 000005
【図４】
2006164213.tif 000006